【手続補正書】
【提出日】平成26年4月28日(2014.4.28)
【手続補正１】
【補正対象書類名】特許請求の範囲
【補正対象項目名】全文
【補正方法】変更
【補正の内容】
【特許請求の範囲】
【請求項１】
画面上に表示された画像を測定する測定手段と、
予め記憶されている第１キャリブレーション用画像を表示し、前記測定手段で測定された該第１キャリブレーション用画像の測定値が目標値に近づくように表示設定を調整する単体キャリブレーションを実行することにより、第１の表示設定を決定する第１決定手段と、
外部装置から入力されたキャリブレーション用の画像信号に基づく第２キャリブレーション用画像を表示し、前記測定手段で測定された該第２キャリブレーション用画像の測定値が前記目標値に近づくように表示設定を調整する連携キャリブレーションを実行することにより、第２の表示設定を決定する第２決定手段と、
外部装置から入力された画像信号に基づく画像である外部入力画像を表示する際に、外部装置の出力設定または第２の表示設定が前回の外部入力画像表示時の設定と異なるか否かを判定する判定手段と、
を有し、
前記第２決定手段は、前記判定手段で、外部装置の出力設定または第２の表示設定が前回の外部入力画像表示時の設定と異なると判定された場合に、連携キャリブレーションを実行する
ことを特徴とする表示装置。
【請求項２】
前記判定手段は、外部入力画像を表示する際に、第２の表示設定で第２キャリブレーション用画像を表示し、前記測定手段で測定された該第２キャリブレーション用画像の測定値と前記目標値との差の絶対値が所定の閾値より大きい場合に、外部装置の出力設定または第２の表示設定が前回の外部入力画像表示時の設定と異なると判定する
ことを特徴とする請求項１に記載の表示装置。
【請求項３】
前記判定手段は、外部入力画像を表示する際に、第２の表示設定で第２キャリブレーション用画像を表示し、該第２キャリブレーション用画像の測定値と、第１の表示設定で表示された第１キャリブレーション用画像の測定値との差の絶対値が所定の閾値より大きい場合に、外部装置の出力設定または第２の表示設定が前回の外部入力画像表示時の設定と異なると判定する
ことを特徴とする請求項１に記載の表示装置。
【請求項４】
過去の単体キャリブレーションの実行日時と、過去の連携キャリブレーションの実行日時とを記憶する記憶手段を更に有し、
前記判定手段は、外部入力画像を表示する際に、連携キャリブレーションの最後の実行日時が単体キャリブレーションの最後の実行日時よりも前である場合に、第２の表示設定が前回の外部入力画像表示時の設定と異なると判定する
ことを特徴とする請求項１に記載の表示装置。
【請求項５】
前記表示装置に画像信号を出力する外部装置は変更可能であり、
前記第２決定手段は、外部装置毎に、連携キャリブレーションの実行、及び、第２の表示設定の決定を行い、
前記記憶手段は、外部装置毎に、連携キャリブレーションの過去の実行日時を記憶し、
前記判定手段は、外部装置から入力された画像信号に基づく外部入力画像を表示する際に、該外部装置の連携キャリブレーションが過去に実行されていない場合、及び、該連携キャリブレーションの最後の実行日時が単体キャリブレーションの最後の実行日時よりも前である場合に、第２の表示設定が前回の外部入力画像表示時の設定と異なると判定することを特徴とする請求項４に記載の表示装置。
【請求項６】
画面上に表示された画像を測定する測定ステップと、
予め記憶されている第１キャリブレーション用画像を表示し、前記測定ステップで測定された該第１キャリブレーション用画像の測定値が目標値に近づくように表示設定を調整する単体キャリブレーションを実行することにより、第１の表示設定を決定する第１決定ステップと、
外部装置から入力されたキャリブレーション用の画像信号に基づく第２キャリブレーション用画像を表示し、前記測定ステップで測定された該第２キャリブレーション用画像の測定値が前記目標値に近づくように表示設定を調整する連携キャリブレーションを実行することにより、第２の表示設定を決定する第２決定ステップと、
外部装置から入力された画像信号に基づく画像である外部入力画像を表示する際に、外部装置の出力設定または第２の表示設定が前回の外部入力画像表示時の設定と異なるか否かを判定する判定ステップと、
を有し、
前記第２決定ステップでは、前記判定ステップで、外部装置の出力設定または第２の表示設定が前回の外部入力画像表示時の設定と異なると判定された場合に、連携キャリブレーションを実行する
ことを特徴とする表示装置の制御方法。
【請求項７】
前記判定ステップでは、外部入力画像を表示する際に、第２の表示設定で第２キャリブレーション用画像を表示し、前記測定ステップで測定された該第２キャリブレーション用画像の測定値と前記目標値との差の絶対値が所定の閾値より大きい場合に、外部装置の出力設定または第２の表示設定が前回の外部入力画像表示時の設定と異なると判定する
ことを特徴とする請求項６に記載の表示装置の制御方法。
【請求項８】
前記判定ステップでは、外部入力画像を表示する際に、第２の表示設定で第２キャリブレーション用画像を表示し、該第２キャリブレーション用画像の測定値と、第１の表示設定で表示された第１キャリブレーション用画像の測定値との差の絶対値が所定の閾値より大きい場合に、外部装置の出力設定または第２の表示設定が前回の外部入力画像表示時の設定と異なると判定する
ことを特徴とする請求項６に記載の表示装置の制御方法。
【請求項９】
過去の単体キャリブレーションの実行日時と、過去の連携キャリブレーションの実行日
時とを記憶する記憶ステップを更に有し、
前記判定ステップでは、外部入力画像を表示する際に、連携キャリブレーションの最後の実行日時が単体キャリブレーションの最後の実行日時よりも前である場合に、第２の表示設定が前回の外部入力画像表示時の設定と異なると判定する
ことを特徴とする請求項６に記載の表示装置の制御方法。
【請求項１０】
前記表示装置に画像信号を出力する外部装置は変更可能であり、
前記第２決定ステップでは、外部装置毎に、連携キャリブレーションの実行、及び、第２の表示設定の決定を行い、
前記記憶ステップでは、外部装置毎に、連携キャリブレーションの過去の実行日時を記憶し、
前記判定ステップでは、外部装置から入力された画像信号に基づく外部入力画像を表示する際に、該外部装置の連携キャリブレーションが過去に実行されていない場合、及び、該連携キャリブレーションの最後の実行日時が単体キャリブレーションの最後の実行日時よりも前である場合に、第２の表示設定が前回の外部入力画像表示時の設定と異なると判定することを特徴とする請求項９に記載の表示装置の制御方法。
【手続補正２】
【補正対象書類名】明細書
【補正対象項目名】００１５
【補正方法】変更
【補正の内容】
【００１５】
図２（Ａ）は、表示装置１００のハードウェアブロック図の一例である。図２（Ｂ）は、表示装置１００の、輝度・色度センサ２１０近傍の断面（画面に垂直な面によって得られる断面）の一例を示すイメージ図である。
ＣＰＵ２０１は、不揮発性メモリ２０３から各種制御を行うためのプログラムを読み込み、内部バス２１３に接続された各構成ブロックの制御を行う。
例えば、ＣＰＵ２０１は、不揮発性メモリ２０３に記録されたキャリブレーション設定情報に基づいて単体キャリブレーション及び連携キャリブレーションを実行する。単体キャリブレーション及び連携キャリブレーションの詳細については後述する。キャリブレーション設定情報は、キャリブレーションの目標値（最大目標輝度値、目標階調カーブなど）を含む情報である。
また、ＣＰＵ２０１は、ユーザ操作によってキャリブレーション設定情報が設定された場合に、設定されたキャリブレーション設定情報を不揮発性メモリ２０３に記録（上書き）する。ユーザは、例えば、タッチパネル２１１を用いて表示装置１００を操作する。
また、ＣＰＵ２０１は、ユーザ操作に基づいて画像表示アプリケーション（画像ビューワなど）を実行する。
また、ＣＰＵ２０１は、画像表示アプリケーションに対するユーザ操作に基づいて、ネットワーク通信回路２１２を介して、画像サーバ１０３から画像ファイルを取得、デコードして画像信号（単体表示画像信号）を生成する。そして、ＣＰＵ２０１は、生成した単体表示画像信号を、必要に応じて画像処理（ウィンドウレベル調整など）を適用し、画像処理回路２０５に出力する。具体的には、単体表示画像信号に基づく画像（単体表示画像）と、画像表示アプリケーションの画像とを含む画像を表す画像信号が生成され、画像処理回路２０５に出力される。
【手続補正３】
【補正対象書類名】明細書
【補正対象項目名】００７５
【補正方法】変更
【補正の内容】
【００７５】
本発明の実施例２に係る表示装置の機能ブロック図は実施例１（図３）と同様である。
本実施例のキャリブレーション実行制御部３０３は、表示比較部３１１からの連携キャリブレーション実行要求信号に応じて連携キャリブレーションを行う際に、内部パッチ画像の測定結果を目標値とする。キャリブレーション実行制御部３０３は、他に、実施例１と同様の機能を有する。
本実施例の表示制御部３０５は、単体表示画像から外部入力画像へ表示画像を切り替える際に、当該切り替え前に表示比較部３１１に対して切り替え前データ取得要求信号を出力し、当該切り替え後に表示比較部３１１に表示比較要求信号を出力する。表示制御部３０５は、他に、実施例１と同様の機能を有する。切り替え前データ取得要求信号は、第１の表示設定（単体表示画像用パラメータ）で表示された内部パッチ画像の輝度及び色度の取得を要求する信号である。
【手続補正４】
【補正対象書類名】明細書
【補正対象項目名】００９５
【補正方法】変更
【補正の内容】
【００９５】
次に、表示制御部３２０５は、画像処理回路２０５に対して、使用する画質調整パラメータを、表示切り替え後の画像信号に対応する画質調整パラメータに切り替えるよう、画質調整パラメータ切り替え指示を送信する（Ｓ２４０２）。具体的には、表示制御部３２０５は、表示切り替え後の画像信号が外部入力画像信号である場合には、Ｓ２４０１で取得されたＰＣ識別情報から該外部入力画像信号の出力元のＰＣを識別する。そして、例えば、表示切り替え後の画像信号がＰＣ１１３からの外部入力画像信号である場合には、表示制御部３２０５は、ＰＣ１１３から入力される外部入力画像信号用の画質調整パラメータが使用されるように、画質調整パラメータ切り替え指示を送信する。また、表示制御部３２０５は、表示切り替え後の画像信号が単体表示画像信号である場合には、単体表示画像信号用の画質調整パラメータが使用されるように、画質調整パラメータ切り替え指示を送信する。